(57)【要約】【課題】  使用者の好みによるプログラム（メモリコース）を複数設定でき、その実行中に電源遮断等によりメモリコースが消滅することのない洗濯機を提供する。【解決手段】  メモリコースの実行開始と同時にこれを不揮発性メモリ２２に記憶する。また、メモリコースの運転終了後や電源遮断後の電源再投入時には当該メモリコースを自動的に表示，設定して当該メモリコースをワンタッチで引き続き再利用できるようにする。また、複数のメモリコースを設けて、下着や普段着，赤ちゃんの下着，脱水運転をしたい衣類等毎に適切なメモリコースを併設できるようにする。【選択図】図１
2008295907.tif 000002
【特許請求の範囲】
【請求項１】
洗濯，洗乾，乾燥の運転モードを有し、これら各運転モードにおいて選択された複数のコースで運転を行う洗濯乾燥機において、
前記運転モードの一つおよび前記複数のコースのうち１つを記憶する手段と、
この記憶した運転モード及びコースを読み出すボタンと、
このボタンを操作したとき、前記記憶した運転モードおよびコースを表示することを特徴とする洗濯乾燥機。
【請求項２】
請求項１において、
運転モードを選択するボタン，コースを表示する表示手段を有し、前記記憶された運転モードの表示は運転モード選択ボタンを光らせることを特徴とする洗濯乾燥機。
【請求項３】
請求項１または２において、
運転モード選択ボタンの本体幅方向に運転スタートボタンを配置し、この運転スタートボタンの本体奥行き方向に読み出しボタンを配置することを特徴とする洗濯乾燥機。
【発明の詳細な説明】
【技術分野】
【０００１】
本発明は洗濯乾燥機に関わり、特に使用者の好みの運転を簡単に行うことができる洗濯乾燥機に関する。
【背景技術】
【０００２】
使用者の好みの運転を簡単にする従来技術として、例えば、特許第３,１６３,１９４号公報がある。
【０００３】
この従来技術には、顧客が設定する給水，洗い，すすぎ，脱水工程のそれぞれの強弱，時間などを記憶して実行するメモリコースが開示されている。
【０００４】
また、この従来技術には、２つのメモリコースを有することや、メモリコースの運転終了後、当該メモリコースを引き続き自動的に設定するようにすることが開示されている。
【０００５】
【特許文献１】特許第３,１６３,１９４号公報
【発明の開示】
【発明が解決しようとする課題】
【０００６】
しかしながら、上記従来技術は、運転モードが１つしか存在しないものであり、その１つの運転モードを前提として、給水，洗い，すすぎ，脱水工程のそれぞれの強弱，時間などを記憶しているものである。
【０００７】
従って、運転モードが複数ある洗濯乾燥機については何ら考慮されていない。
【０００８】
そこで、本発明は、使用者の好みの運転を簡単に行うことができる洗濯乾燥機を提供することを目的とする。
【課題を解決するための手段】
【０００９】
上記目的を達成するため、本発明は、洗濯乾燥機において、前記運転モードの一つおよび前記複数のコースのうち１つを記憶する手段と、この記憶した運転モード及びコースを読み出すボタンと、このボタンを操作したとき、前記記憶した運転モードおよびコースを表示することを特徴とするものである。
【発明の効果】
【００１０】
本発明によれば、使用者の好みに応じた運転を簡単に行うことができる。
【発明を実施するための最良の形態】
【００１１】
本実施例では、使用者が自分の好みに合わせて設定したメモリコースの内容をスタートボタンを押すと同時に記憶するようにする。また、次回からは上記メモリコースを再設定することなく繰り返し利用できるようにする。さらに、上記メモリコースを少なくとも運転モードの数以上設け、使用者が通常選択し得る運転愛用の全てを記憶することができるようにする。
【００１２】
図１は本実施例による洗濯乾燥機の操作パネルの図である。
【００１３】
操作パネル９の中央部には運転を開始するためのスタートボタン９ｃが配設されており、このスタートボタン９ｃを中心として左側に各種詳細設定を行うボタンがまとまった詳細設定部９ｂが配設されており、スタートボタン９ｃの右側には運転モードやコースなどを指定するためのコース選択部９ａがまとめてある。またスタートボタン９ｃの上部にはメモリコース１〜３を選択するためのメモリコースボタン１６が配設されている。このような配置とすることで使用者はメモリコースを使用する際には、中央上部のメモリコースボタンを押し、あらかじめ登録しておいた運転内容を読み出した後、そのすぐ下にあるスタートボタン９ｃを押すことによりあらかじめ設定しておいた運転内容のコースを簡単に実行することができる。また単純に設定プラグラムの中からコースを選択する場合においても右側の運転モードボタンを押し、好みのコースを選択したのち左隣に近接するスタートボタン９ｃを押すことで実行することができる。このようにスタートボタンを中心に機能別にボタン郡を配設することにより、使用者に使い勝手の良いボタンレイアウトを提供することができる。
【００１４】
次に図１を用いてメモリコース１に好みの内容を登録する方法を説明する。
【００１５】
図１は初めにメモリボタンを押すことによりメモリコース１を選択した後、右下の運転モードボタンにより洗濯モードの標準コースを選定した状態を示している。図１ではこの洗濯モードの標準コースの他に念入り，ソフト，ドライ，毛布などの衣類の質に応じて選べるコースを設けている。メモリコース１に設定した状態で、パネル右下部の「洗濯」「洗乾」「乾燥」のモードボタンを押すことで、各運転モードの運転コースが選択可能となる。この際、各モードボタンは選択されていることを使用者に示すためにモードボタンが点灯する。このときの点灯色は全て同じでも良いが、各モード別に色を分けることでより使用者の認識率が高くなる。モードが選択された後、各コースにおいて選択可能な、パネル左下部の「水量」ボタン，「洗い」ボタン，「すすぎ」ボタン，「脱水」ボタン，「乾燥」ボタン，「お湯取」ボタン，「ホット高洗浄」ボタンにより使用者の好みに応じて詳細な運転内容を選択することができる。選択可能な内容を各々押すことにより、「水量」ボタンにおいては運転時の水量、「洗い」ボタンにおいては洗い時間、「すすぎ」ボタンにおいてはすすぎの方式と回数、「脱水」ボタンにおいては脱水時間、「乾燥」ボタンにおいては乾燥時間および自動運転、「お湯取」ボタンにおいてはどの行程に風呂水吸水を行うかの洗濯、「ホット高洗浄」ボタンにおいては洗い時の最初に洗浄力を高めるための温風行程の有無を選択可能としている。
【００１６】
各内容を設定後に「スタート」ボタンを押すことにより、メモリコース１の内容が記憶される。従来の技術では、この後に別の運転コースにて選択および乾燥を実行した場合には、前述のような操作を繰り返さないと同じコースを運転することができなかった。しかしながら本発明によればメモリコースを選択した状態でスタートすることでメモリコースに詳細な内容までも記憶することが可能なために、一度記憶させたコースと異なるコースを運転した後でも、メモリコースボタンを押すだけで運転準備が完了することができるため、使用者の操作性が大幅に向上する。
【００１７】
図２はメモリコース２にて洗濯行程において衣類への洗剤分の残留量を減らすべく、すすぎの回数を増やし、外干しすることにより衣類への花粉などのアレルギーを起こす物質を防ぐのを目的に「乾燥」を自動コースにて実施するように設定した場合を示している。
【００１８】
図３はメモリコース３にて外干しした衣類の仕上げ乾燥を行うべく、乾燥の３０分運転を行うように設定した場合を示している。
【００１９】
本実施例では各メモリコースに洗濯モード，洗乾モード，乾燥モードでの運転内容を記憶させる例を示したが、実際の使用にあたっては使用者の好みにより全てのメモリコースに洗濯モードをメモリさせることも可能となっている。
【００２０】
このように各々のメモリコースに異なった運転モードのコースを登録しておくことで、日々の洗濯内容や、分け洗いをする場合などのように頻繁に異なるモードのコースを運転する場合であっても、メモリコースボタンを数回押すだけで好みのコースを容易に呼び出すことが可能となる。
【００２１】
図４は本実施例における洗濯乾燥機の制御回路のブロック図である。
【００２２】
図４において、マイコン２０は上記メモリコース以外の組込コースが指定された場合には予め記憶しているそれぞれのコースの制御シーケンスにしたがって、ソレノイド出力回路２３，出力回路２４等を駆動し、表示回路２５を駆動して操作パネル９上にその時の状態値等を表示する。なお、電源は電源回路２６より供給される。
【００２３】
また、操作パネル９の各操作スイッチ２１によりメモリコース１〜３が指定され、その内容が「水量」，「洗い」その他のスイッチによりその内容が設定されると、マイコン２０はその内容を解釈してＲＡＭ２０ａに一時記憶して表示回路２５に表示し、スタートボタンからのスタート指令に応じてＲＡＭ２０ａの内容をメモリ２２に格納する。以後はＲＡＭ２０ａの内容にしたがって各部の動作を逐次実行する。なお、各操作スイッチ２１による上記メモリコースの内容が設定される毎にメモリ２２に直接格納してＲＡＭ２０ａを省略することもできる。
【００２４】
メモリ２２には例えばＥＡＰＲＯＭ等の不揮発性メモリ等を用いて電源遮断後も記憶した内容が保持されるようにする。また、電源遮断の前に実行されたメモリコースの内容をメモリ２２の所定のエリアに格納し、電源再投入後はメモリコースボタンにより指定されたメモリコース１〜３の同エリアの内容を読みだして表示すると同時に引き続き再実行できるようにする。
【００２５】
例えばメモリコース１を実行する場合には、まず給水を開始して水位が予め規定された布量センシング水位に達すると給水を一旦停止して約３０秒間撹拌して布量センシングを行い、衣類の量および質を検知する。マイコン２０はこの布量センシングにより水位は例えば「中」が適当と判定するが、メモリコース１により「水量」は「高」と指定されているので「高」水位を設定する。
【００２６】
次いで、「高」水位まで給水を行うと布質センシングを行って、「洗い」「すすぎ」「脱水」の時間，回数等を決定する。通常はこの決定値は標準コースの内容として採用されるのであるが、メモリコース１により「洗い」と「脱水」の詳細な設定が指定されているので指定の時間にて洗濯を実行する。この運転が終了するとコース設定の内容はメモリコース１に保持され、マイコインは運転待機状態（イニシャル状態）に設定される。
【００２７】
また、次回に「メモリコース１」を設定すると、上記メモリ２２に記憶させたメモリコース１の内容を表示して、スタート指令に応じて自動的に再実行する。図２に示したような「メモリコース２」を設定した場合も同様に動作する。すなわち、「洗い」を１５分、「すすぎ」を注水３回という使用者指定値の内容はスタート直後にメモリ２２に記憶され、その運転後も、マイコイン２０は「メモリコース２」を表示し運転待機状態（イニシャル状態）になる。また、次回以降、「メモリコース２」を設定すると上記メモリ２２に記憶させたメモリコース２の内容を表示して、スタート指令に応じて自動的に再実行する。
【００２８】
図５は本実施例における動作のフローチャートである。
【００２９】
コースボタンにより組込プログラムが指定された場合は従来装置と同様にこれを実行する。メモリコースが指定された場合にはその１〜３に応じてそれぞれの内容を設定，表示し、スタートボタンが押されるとその内容をメモリ２２に書き込む。また、メモリ２２の内容はメモリコース指定ステップに戻されるので、次にはメモリ２２に記憶したメモリコースが自動的に設定，表示される。
【００３０】
以上、本実施によれば、運転モード自体を読み出すボタンを設けることとしたので、使用者の好みに応じた運転モードを簡易的に実行することが可能になる。
【００３１】
また、上記メモリは少なくとも運転モード以上のメモリコース数を有しており、各運転モードに対して最低１つは記憶できるようにする。これにより使用者は各運転モード事に好みの運転内容を記憶することができ、煩わしいボタン操作をすることなく、頻繁に使用する運転コースを選択することが可能となる。
【００３２】
また、本実施例によれば、メモリコースの内容を洗濯機の実行開始指令（スタート）と同時に記憶するので、その実行後や完了を知らせるブザー音の前に電源が遮断された場合とか、給水異常や排水異常等により電源が遮断された場合に設定したメモリコースが記憶されないという問題を解消することができる。また、従来装置のようにメモリプログラムの実行終了時に当該メモリプログラムが設定されるのではないので、洗濯機の販売員は使用者の依頼により使用者の好みのプログラムをその場で即時的に設定することができる。同様に、メモリコースを即時的に展示，説明することができる。
【００３３】
また、設定したメモリコースの内容は不揮発性メモリに記憶されるので、次回から再利用することができる。また、メモリコースの運転終了後や電源遮断後の電源再投入時には当該メモリコースを自動的に設定して表示するので、当該メモリコースをワンタッチで引き続き再利用することができる。また、複数のメモリコースを設けるので、下着や普段着等に対するコースの他に赤ちゃんの下着に対するコースや脱水運転をしたくないコース等を併設することができる。また、洗濯，洗乾，乾燥といった各行程別にメモリコースを設定できる。
【図面の簡単な説明】
【００３４】
【図１】本実施例における洗濯乾燥機の操作パネル図であり、メモリコース１を設定した場合の図である。
【図２】図１において、メモリコース２を設定した場合の操作パネル図である。
【図３】図１において、メモリコース３を設定した場合の操作パネル図である。
【図４】本実施例の制御回路ブロック図である。
【図５】本実施例の制御方法を説明するフローチャートである。
【図６】洗濯乾燥機の断面図である。
【符号の説明】
【００３５】
１  外枠
２  外槽
３  洗濯兼脱水槽
４  パルセータ
５  モータ
６  排水バルブ
７  内フタ
８  外フタ
９  操作パネル
９ａ  コース選択部
９ｂ  詳細設定部
９ｃ  運転スタートボタン
１０  トップカバー
１１  給水電磁弁
１２  水位センサ
１３  ダクト
１４  送風ファン
１５  運転モード選択ボタン
１６  メモリコースボタン（読み出しボタン）
２０  マイコン
２０ａ  ＲＡＭ
２１  操作スイッチ
２２  メモリ
２３  ソレノイド出力回路
２４  出力回路
２５  表示回路
２６  電源回路
【図１】
2008295907.tif 000003
【図２】
2008295907.tif 000004
【図３】
2008295907.tif 000005
【図４】
2008295907.tif 000006
【図５】
2008295907.tif 000007
【図６】
2008295907.tif 000008